(57)【要約】      （修正有）【課題】生体への負担及び作業負担を軽減しながら透明化の効果が得られるまでの時間を極力短縮でき、重力に反する位置の対象部位に対しても透明化液を安定的に投与可能な透明化液徐放手段、それを備えた内視鏡及び内視鏡手術用器具を提供する。【解決手段】内部に気体又は液体の供給路２，３と、先端近傍の側面における円周方向に沿う位置に夫々の供給路の開口部２ａ，３ａを有する棒状部材１と、棒状部材の先端近傍の側面における円周方向に沿う夫々の位置に夫々の供給路の開口部を夫々覆うように設けられ、気体又は液体の流入出量に応じて膨張、収縮の制御可能な袋状弾性部材５，６と、袋状弾性部材５の表面に固定され、透明化液を保持し且つ押圧されることにより透明化液を徐放する透明化液保持部材７と、袋状弾性部材６の表面に固定され、透明化液の徐放対象から出た体液を吸収又は透明化液の徐放対象を浸透圧により脱水する体液吸着部８と、を有する。【選択図】図１
2014161385.tif 000002
【特許請求の範囲】
【請求項１】
内部に気体又は液体の供給路を少なくとも２つ有するとともに、先端近傍の側面における円周方向に沿う位置に夫々の前記供給路の開口部を有する棒状部材と、
前記棒状部材の先端近傍の側面における円周方向に沿う夫々の位置に、夫々の前記供給路の開口部を夫々覆うように設けられ、気体又は液体の流入出量に応じて、膨張、収縮の制御が可能な少なくとも２つの袋状弾性部材と、
第１の前記袋状弾性部材の表面に固定され、透明化液を保持し、且つ、押圧されることにより前記透明化液を外部へ徐放する透明化液保持部と、
第２の前記袋状弾性部材の表面に固定され、前記透明化液の徐放対象から出た体液を吸収又は前記透明化液の徐放対象を浸透圧により脱水する体液吸着部と、
を有することを特徴とする透明化液徐放手段。
【請求項２】
前記棒状部材における、少なくとも２つの前記袋状弾性部材が設けられている前記先端近傍が、該棒状部材の軸を中心として回転可能に構成されていることを特徴とする請求項１に記載の透明化液徐放手段。
【請求項３】
前記透明化液保持部は、表面に無数の凹凸部を有していることを特徴とする請求項１又は２に記載の透明化液徐放手段。
【請求項４】
前記透明化液保持部に保持される透明化液の浸透速度を高める浸透速度調整手段を有することを特徴とする請求項１〜３のいずれかに記載の透明化液徐放手段。
【請求項５】
前記浸透速度調整手段が、第１の前記袋状弾性部材に供給する気体又は液体を加温する温度調節器であることを特徴とする請求項４に記載の透明化液徐放手段。
【請求項６】
前記浸透速度調整手段が、前記透明化液保持部に保持される透明化液と混合する浸透速度促進剤であることを特徴とする請求項４又は５に記載の透明化液徐放手段。
【請求項７】
前記棒状部材が、内部に第３の気体又は液体の供給路を有するとともに、
前記先端近傍の側面における円周方向に沿う位置に第３の前記供給路の開口部を有し、
前記棒状部材の先端近傍の側面における円周方向に沿う位置であり、且つ、第１の前記袋状弾性部材及び第２の前記袋状弾性部材とは異なる位置に、第３の前記供給路の開口部を覆うように設けられ、気体又は液体の流入出量に応じて、膨張、収縮の制御が可能な第３の袋状弾性部材の表面に固定され、透明化された生体組織を不透明化状態に戻すための液体を保持し、且つ、押圧されることにより、前記透明化された生体組織を不透明化状態に戻すための液体を外部へ徐放する不透明化液保持部と、
を有することを特徴とする請求項１〜６のいずれかに記載の透明化液徐放手段。
【請求項８】
前記棒状部材が、さらに、前記透明化液保持部と接続する、透明化液の供給路を有することを特徴とする請求項１〜７のいずれかに記載の透明化液徐放手段。
【請求項９】
請求項１〜８のいずれかに記載の透明化液徐放手段を備えた内視鏡。
【請求項１０】
請求項１〜８のいずれかに記載の透明化液徐放手段を備えた内視鏡手術用器具。
【発明の詳細な説明】
【技術分野】
【０００１】
本発明は、例えば、生体の管腔内壁面の患部に透明化液を投与するために用いる透明化液徐放手段並びにそれを備えた内視鏡及び内視鏡手術用器具に関する。
【背景技術】
【０００２】
ＥＳＤ（Endoscopic submucosal dissection：内視鏡的粘膜下層剥離術）に代表される内視鏡治療では、術中出血や術後出血が従来からの課題とされている。
【０００３】
しかるに、近年、光散乱を抑制することで、光の生体透過性を高めることが可能な透明化液が開発されている。
透明化液の組成の一例としては、尿素にグリセロールと界面活性剤を加えた水溶性の溶液であって、生体組織に投与することにより生体組織内に浸透し、浸透した部位をゼリーのように透明化させる。なお、透明化液を用いて透明化された部位は、生理食塩水等を投与することによって、再び元の不透明な状態に戻すことができる。
【０００４】
従来、透明化液の投与は、例えば、次の非特許文献１、２に記載のように、主に滴下及び注入によって行なわれている。
【０００５】
術中出血や術後出血のリスクを軽減させるためには、術前又は術後に透明化液を患部へ投与し、血管透見能を向上させることが望まれる。
ところで、この透明化液は、投与した生体組織内への浸透に一定時間を要するという特性があり、透明化効果が得られるまでには、タイムラグが存在する。このため、透明化効果が得られるまでの間、対象部位に透明化液を留置させた状態で投与することが必要となる。
【０００６】
しかし、必ずしも透明化液を適用することが所望される対象部位は管腔内において重力方向に存在するとは限らない。
このため、滴下により対象部位へ透明化液を投与する方法では、重力方向に反する方向に存在する対象部位に対し透明化液を安定的に留置した状態を維持しながら投与することが困難である。
【０００７】
また、注入により対象部位へ透明化液を投与する方法は、対象部位へ透明化液を留置させることは可能ではあるが、投与範囲が極めて局所的なものとなるため、投与を所望する範囲が広い場合、注入箇所から所望する全範囲に透明化液を投与することが困難である上、生体組織に対する侵襲性も高い。
【０００８】
しかるに、従来、患部に対し薬剤を安定的に留置した状態を維持しながら、低侵襲で広範囲に投与しうる技術として、例えば、次の特許文献１に鼻腔へ麻酔薬の塗布を目的とした薬剤塗布用部材が提案されている。
【０００９】
特許文献１に記載の薬剤塗布用部材は、図８に示すように、細長棒状基材５１と、基材に沿って延在する気体通路５２と、基材５１の外表面の全周に設けられ、気体通路５２と連通する筒状のバルーン５３と、バルーン５３の外表面に設けられ、体腔に塗布する薬剤を含有する薬剤保持部５４とを有している。そして、気体供給具を用いて気体通路５２に空気を供給し、バルーン５３を膨張させて、薬剤保持部５４が所望の部位に接触し内面を押圧して麻酔薬を塗布するようになっている。
【先行技術文献】
【特許文献】
【００１０】
【特許文献１】特開２００８−１８８２１２号公報
【非特許文献】
【００１１】
【非特許文献１】Journal of X-Ray Science and Technology, Vol.10, No.3-4, p167-176, 2002
【非特許文献２】Asian Journal of Physics, Vol.15, No.1, p1-14, 2006
【発明の概要】
【発明が解決しようとする課題】
【００１２】
ところで、上述のように、透明化液は、対象部位への浸透に一定時間を要するという特性があり、投与してから透明化効果が得られるまでには、一定時間を要する。手術時間を短縮化して、患者の肉体への負担を少しでも軽減するためには、透明化液による血管透見能向上の効果が得られるまでの時間を極力短縮することが重要である。
【００１３】
しかし、特許文献１に記載の薬剤塗布用部材は、鼻腔内への麻酔剤の塗布を目的としたものであり、透明化液の生体組織への投与から透明化の効果が得られるまでの時間を短縮することについての着想はない。
【００１４】
本発明は、このような従来の問題点に鑑みてなされたものであり、生体への負担及び作業負担を軽減しながら、透明化液による透明化の効果が得られるまでの時間を極力短縮することができ、しかも、重力に反する位置に存在する投与対象部位に対しても透明化液を安定的に投与することが可能な透明化液徐放手段並びにそれを備えた内視鏡及び内視鏡手術用器具を提供することを目的としている。
【課題を解決するための手段】
【００１５】
上記目的を達成するため、本発明による透明化液徐放手段は、内部に気体又は液体の供給路を少なくとも２つ有するとともに、先端近傍の側面における円周方向に沿う位置に夫々の前記供給路の開口部を有する棒状部材と、前記棒状部材の先端近傍の側面における円周方向に沿う夫々の位置に、夫々の前記供給路の開口部を夫々覆うように設けられ、気体又は液体の流入出量に応じて、膨張、収縮の制御が可能な少なくとも２つの袋状弾性部材と、第１の前記袋状弾性部材の表面に固定され、透明化液を保持し、且つ、押圧されることにより前記透明化液を外部へ徐放する透明化液保持部と、第２の前記袋状弾性部材の表面に固定され、前記透明化液の徐放対象から出た体液を吸収又は前記透明化液の徐放対象を浸透圧により脱水する体液吸着部と、を有することを特徴としている。
【００１６】
また、本発明の透明化液徐放手段においては、前記棒状部材における、少なくとも２つの前記袋状弾性部材が設けられている前記先端近傍が、該棒状部材の軸を中心として回転可能に構成されているのが好ましい。
【００１７】
また、本発明の透明化液徐放手段においては、前記透明化液保持部は、表面に無数の凹凸部を有しているのが好ましい。
【００１８】
また、本発明の透明化液徐放手段においては、前記透明化液保持部に保持される透明化液の浸透速度を高める浸透速度調整手段を有するのが好ましい。
【００１９】
また、本発明の透明化液徐放手段においては、前記浸透速度調整手段が、第１の前記袋状弾性部材に供給する気体又は液体を加温する温度調節器であるのが好ましい。
【００２０】
また、本発明の透明化液徐放手段においては、前記浸透速度調整手段が、前記透明化液保持部に保持される透明化液と混合する浸透速度促進剤であるのが好ましい。
【００２１】
また、本発明の透明化液徐放手段においては、前記棒状部材が、内部に第３の気体又は液体の供給路を有するとともに、前記先端近傍の側面における円周方向に沿う位置に第３の前記供給路の開口部を有し、前記棒状部材の先端近傍の側面における円周方向に沿う位置であり、且つ、第１の前記袋状弾性部材及び第２の前記袋状弾性部材とは異なる位置に、第３の前記供給路の開口部を覆うように設けられ、気体又は液体の流入出量に応じて、膨張、収縮の制御が可能な第３の袋状弾性部材の表面に固定され、透明化された生体組織を不透明化状態に戻すための液体を保持し、且つ、押圧されることにより、前記透明化された生体組織を不透明化状態に戻すための液体を外部へ徐放する不透明化液保持部を有するのが好ましい。
【００２２】
また、本発明の透明化液徐放手段においては、前記棒状部材が、さらに、前記透明化液保持部と接続する、透明化液の供給路を有するのが好ましい。
【００２３】
また、本発明による内視鏡は、上記本発明のいずれかの透明化液徐放手段を備えている。
【００２４】
また、本発明による内視鏡手術用器具は、上記本発明のいずれかの透明化液徐放手段を備えている。
【発明の効果】
【００２５】
本発明によれば、生体への負担及び作業負担を軽減しながら、透明化液による透明化の効果が得られるまでの時間を極力短縮することができ、しかも、重力に反する位置に存在する投与対象部位に対しても透明化液を安定的に投与することが可能な透明化液徐放手段並びにそれを備えた内視鏡及び内視鏡手術用器具が得られる。
【図面の簡単な説明】
【００２６】
【図１】本発明の第１実施形態にかかる透明化液徐放手段の概略構成を模式的に示す説明図で、(a)は袋状弾性部材を拡張させる前の状態の外観を示す側面図、(b)は(a)のＡ−Ａ線断面図、(c)は(a)の紙面と平行な方向の断面図、(d)は袋状弾性部材を拡張させた状態を示す、(a)の紙面と平行な方向の断面図である。
【図２】第１実施形態の透明化液徐放手段を用いた透明化液の徐放手順の一例を(a)の紙面と平行な方向の断面で示す説明図で、(a)はいずれの袋状弾性部材も拡張させていない状態の透明化液徐放手段を管腔内に挿入し、体液吸着部を徐放対象部位に位置合わせした状態を示す図、(b)は(a)の状態から第２の袋状弾性部材を拡張させて、体液吸着部を徐放対象部位に圧接させた状態を示す図、(c)は(b)の状態から第２の袋状弾性部材を萎ませるとともに、棒状部材の軸を中心に回転させて、透明化液保持部を徐放対象部位に位置合わせした状態を示す図、(d)は(c)の状態から第１の袋状弾性部材を拡張させて、透明化液保持部を徐放対象部位に圧接させた状態を示す図である。
【図３】本発明の第２実施形態にかかる透明化液徐放手段の説明図で、(a)は透明化液保持部の表面形状を示す部分拡大断面図、(b)は第２実施形態の透明化液徐放手段において(a)に示した透明化液保持部の範囲を示す図、(c)は透明化液保持部を徐放対象部位に圧接させた状態を示す図、(d)は第２実施形態の透明化液徐放手段を用いて透明化液保持部を徐放対象部位に圧接させた状態における、(c)に示した範囲での徐放対象部位の圧接面形状及び透明化液保持部の圧接方向での位置を示す図、(e)は(d)の一比較例であり、滑らかな表面を持つ透明化液保持部を徐放対象部位に圧接させた状態における、(c)に示した位置での徐放対象部位の圧接面形状及び透明化液保持部の圧接方向での位置を示す図である。
【図４】本発明の第３実施形態にかかる透明化液徐放手段の概略構成を模式的に示す説明図である。
【図５】本発明の第４実施形態にかかる透明化液徐放手段の概略構成を模式的に示す説明図で、(a)は袋状弾性部材を拡張させる前の状態の外観を示す側面図、(b)は(a)のＡ’−Ａ’線断面図、(c)は(a)の紙面と平行な方向の断面図である。
【図６】本発明の第４実施形態の透明化液徐放手段を用いた透明化液の徐放手順の一例を(a)の紙面と平行な方向の断面で示す説明図で、(a)はいずれの袋状弾性部材も拡張させていない状態の透明化液徐放手段を管腔内に挿入し、体液吸着部を徐放対象部位に位置合わせした状態を示す図、(b)は(a)の状態から第２の袋状弾性部材を拡張させて、体液吸着部を徐放対象部位に圧接させた状態を示す図、(c)は(b)の状態から第２の袋状弾性部材を萎ませるとともに、棒状部材の軸を中心に回転させて、透明化液保持部を徐放対象部位に位置合わせした状態を示す図、(d)は(c)の状態から第１の袋状弾性部材を拡張させて、透明化液保持部を徐放対象部位に圧接させた状態を示す図、(e)は(d)の状態から第１の袋状弾性部材を萎ませるとともに、棒状部材の軸を中心に回転させて、不透明化液保持部を徐放対象部位に位置合わせした状態を示す図、(f)は(e)の状態から第３の袋状弾性部材を拡張させて、不透明化液保持部を徐放対象部位に圧接させた状態を示す図である。
【図７】本発明の第５実施形態にかかる透明化液徐放手段の概略構成を模式的に示す説明図である。
【図８】特許文献１に記載の薬剤塗布用部材の一例を示す断面図である。
【発明を実施するための形態】
【００２７】
実施形態の説明に先立ち、本発明の作用効果について説明する。
透明化液の徐放対象となる生体の管腔内壁面の表面は体液で覆われている。また、管腔内壁面の内部も、透明化を所望する生体組織の上層に体液が多く存在する。透明化液に体液が多く混ざると透明化液が薄められて透明化の機能が弱まり、透明化を所望する生体組織への透明化液の浸透を阻害する。管腔内壁面に対する透明化液の徐放により透明化を所望する生体組織への透明化効果が得られるまでの時間を短縮するには、透明化を所望する生体組織に対し透明化液が浸透やすくなるように、管腔内壁面の表面及び内部に存在する体液を極力減らす必要がある。
また、管腔内壁面に透明化液を徐放する時間を短縮化するための作業についても、生体への負担を極力減らすことが重要である。
【００２８】
しかるに、本発明の透明化液徐放手段のように、内部に気体又は液体の供給路を少なくとも２つ有するとともに、先端近傍の側面における円周方向に沿う位置に夫々の供給路の開口部を有する棒状部材と、棒状部材の先端近傍の側面における円周方向に沿う夫々の位置に、夫々の供給路の開口部を夫々覆うように設けられ、気体又は液体の流入出量に応じて、膨張、収縮の制御が可能な少なくとも２つの袋状弾性部材と、第１の袋状弾性部材の表面に固定され、透明化液を保持し、且つ、押圧されることにより透明化液を外部へ徐放する透明化液保持部と、第２の袋状弾性部材の表面に固定され、透明化液の徐放対象から出た体液を吸収又は透明化液の徐放対象を浸透圧により脱水する体液吸着部と、を有すれば、体液吸着部により管腔内壁面の表面に付着した体液を除去し、管腔内壁面の内部の表層に存在する体液の量を極力減らした状態で、透明化液保持部により、管腔内壁面に透明化液を徐放することができる。その結果、透明化液に混ざり込む体液の量を極力減らすことができ、管腔内壁面の内部において透明化を所望する生体組織に透明化液が浸透するまでの時間を短縮することができる。
しかも、体液吸着部と透明化液保持部とを棒状部材の先端近傍の側面における円周方向に沿う夫々の位置に設けたので、体液吸着部と透明化液保持部が設けられている棒状部材の先端近傍を、棒状部材の軸を中心として回転させれば、棒状部材を生体内から挿脱することなく、体液吸着部による体液の吸着と透明化液保持部による透明化液の徐放とを切替えて行なうことができ、生体への負担及び作業負担を極力減らすことができるようになる。
さらに、透明化液保持部、体液吸着部は、夫々の袋状弾性部材に固定されており、夫々の袋状部材部材が拡張することにより、対象部位の管腔内壁面に圧接させられるので、重力に反する方向に存在する対象部位に対しても、透明化液を安定的に投与することができ、また、体液を安定した状態で除去できる。
【００２９】
従って、本発明の透明化液徐放手段によれば、生体への負担及び作業負担を軽減しながら、透明化液による透明化の効果が得られるまでの時間を極力短縮することができ、しかも、重力に反する位置に存在する投与対象部位に対しても透明化液を安定的に投与することが可能となる。
【００３０】
また、本発明の透明化液徐放手段において、棒状部材における、少なくとも２つの袋状弾性部材が設けられている先端近傍を、棒状部材の軸を中心として回転可能に構成すれば、棒状部材を生体内から挿脱することなく、体液吸着部による体液の吸着と透明化液保持部による透明化液の徐放とを切替えて行なうことができ、生体への負担及び作業負担を極力減らす効果が実現できる。
【００３１】
また、本発明の透明化液徐放手段において、透明化液保持部が、表面に無数の凹凸部を有すれば、徐放対象部位に圧接させた場合、凹凸部が徐放対象部位の表面を押し込み、徐放対象部位の表面を透明化液保持部の凹凸部に対応した凹凸形状に変形させるので、透明化液を浸透させる徐放対象部位の表面積が格段に増える。また、透明化保持部の凹凸部で徐放対象部位の表面を凹凸形状に変形させた分、透明化保持部を徐放対象部位の内部へ入り込ませることができ、透明化液から徐放対象部位の内部に存在する透明化を所望する生体組織までの距離が近づく。このため、より多くの透明化液を徐放対象部位へ投与することができ、しかも透明化液が浸透する徐放対象部位の内部に存在する透明化を所望する生体組織までの距離を短縮することができるので、徐放対象部位の内部に存在する透明化を所望する生体組織を透明化させるために要する時間を格段と短縮することが可能となる。
【００３２】
また、本発明の透明化液徐放手段において、透明化液保持部に保持される透明化液の浸透速度を高める浸透速度調整手段を有すれば、対象部位からの体液の脱水を促進することができる。このため、透明化液保持部の表面を、透明化液を外部に排出する一方で体液を通さないように構成すれば、透明化液保持部の表面から出た透明化液により、対象部位から体液を脱水させ、その後、体液吸着部を介して対象部位から出た体液を吸着し、体液が少ない状態となった対象部位に対し、再度、透明化液保持部を対象部位に圧接させることにより、透明化液保持部から出た透明化液を対象部位の内部へ浸透させ易くなる。その結果、徐放対象部位の内部に存在する透明化を所望する生体組織を透明化させるために要する時間をより一層短縮することができる。
【００３３】
また、本発明の透明化液徐放手段において、浸透速度調整手段を、第１の前記袋状弾性部材に供給する気体又は液体を加温する温度調節器で構成すれば、徐放対象部位の内部に存在する透明化を所望する生体組織を透明化させるために要する時間をより一層短縮することができ、また透明化させるために要する時間を調整し易くなる。
【００３４】
また、本発明の透明化液徐放手段において、浸透速度調整手段を、透明化液保持部に保持される透明化液と混合する浸透速度促進剤で構成すれば、徐放対象部位の内部に存在する透明化を所望する生体組織を透明化させるために要する時間をより一層短縮することができる。
【００３５】
また、本発明の透明化液徐放手段において、棒状部材が、内部に第３の気体又は液体の供給路を有するとともに、先端近傍の側面における円周方向に沿う位置に第３の供給路の開口部を有し、棒状部材の先端近傍の側面における円周方向に沿う位置であり、且つ、第１の袋状弾性部材及び第２の袋状弾性部材とは異なる位置に、第３の供給路の開口部を覆うように設けられ、気体又は液体の流入出量に応じて、膨張、収縮の制御が可能な第３の袋状弾性部材の表面に固定され、透明化された生体組織を不透明化状態に戻すための液体を保持し、且つ、押圧されることにより、透明化された生体組織を不透明化状態に戻すための液体を外部へ徐放する不透明化液保持部を有すれば、体液吸着部により管腔内壁面の患部の表面及び内部の表層に存在する体液の量を極力減らした状態で、透明化液保持部により透明化液を徐放することで、管腔内壁面の患部の内部に存在する透明化を所望する生体組織に透明化液が浸透するまでの時間を短縮することができることに加えて、透明化した生体組織を不透明化する作業においても、棒状部材を生体内から挿脱することなく、重力に反する方向に存在する対象部位に対しても、安定的に不透明化液を投与することができ、生体への負担及び作業負担をより一層減らすことができる。
【００３６】
また、本発明の透明化液徐放手段において、棒状部材が、さらに、透明化液保持部と接続する、透明化液の供給路を有すれば、対象部位への透明化液の徐放量を適量に制御することが可能となる。このため、対象部位に存在する生体組織の透明化に必要な透明化液の量が、透明化液徐放手段の透明化液保持部で保持しうる透明化液の量を上回り、更なる、透明化液の徐放が必要となる場合であっても、透明化液の供給路を介して、必要に応じて適宜透明化液を透明化液保持部に補充できるので、棒状部材を生体内から抜き出すことなく、透明化を完了させることができる。
【００３７】
また、本発明の内視鏡、内視鏡手術用器具のように、上記本発明のいずれかの透明化液徐放手段を備えれば、上述した本発明の透明化液徐放手段の効果を備えた内視鏡、内視鏡手術用器具が実現できる。
【００３８】
以下、本発明の実施形態について、図面を用いて説明する。
第１実施形態
図１は本発明の第１実施形態にかかる透明化液徐放手段の概略構成を模式的に示す説明図で、(a)は袋状弾性部材を拡張させる前の状態の外観を示す側面図、(b)は(a)のＡ−Ａ線断面図、(c)は(a)の紙面と平行な方向の断面図、(d)は袋状弾性部材を拡張させた状態を示す、(a)の紙面と平行な方向の断面図である。図２は第１実施形態の透明化液徐放手段を用いた透明化液の徐放手順の一例を(a)の紙面と平行な方向の断面で示す説明図で、(a)はいずれの袋状弾性部材も拡張させていない状態の透明化液徐放手段を管腔内に挿入し、体液吸着部を徐放対象部位に位置合わせした状態を示す図、(b)は(a)の状態から第２の袋状弾性部材を拡張させて、体液吸着部を徐放対象部位に圧接させた状態を示す図、(c)は(b)の状態から第２の袋状弾性部材を萎ませるとともに、棒状部材の軸を中心に回転させて、透明化液保持部を徐放対象部位に位置合わせした状態を示す図、(d)は(c)の状態から第１の袋状弾性部材を拡張させて、透明化液保持部を徐放対象部位に圧接させた状態を示す図である。
【００３９】
本実施形態の透明化液徐放手段は、図１(a)〜図１(d)に示すように、棒状部材１と、拡張可能な袋状弾性部材５，６と、透明化液保持部７と、体液吸着部８を有している。
棒状部材１は、可撓性部材で構成されており、内部に気体又は液体の供給路２，３を有している。
また、棒状部材１は、図１(b)に示すように、先端近傍の側面における円周方向に沿う位置に供給路２，３の開口部２ａ，３ａを有している。
供給路２，３は、図示しない、ポンプ等を用いた気体又は液体の供給・排出手段と接続されている。
袋状弾性部材５，６は、例えば、バルーンで構成されており、棒状部材１の先端近傍の側面における円周方向に沿う夫々の位置に、図１(b)、図１(c)に示すように、夫々の供給路２，３の開口部２ａ，３ａを夫々覆うように設けられている。
そして、バルーン５，６は、図示しない気体又は液体の供給・排出手段と接続する夫々の供給路２，３を介して、内部に気体又は液体が供給されると拡張（膨張）し（図１(d)参照）、内部から気体又は液体が排出されると萎む（収縮する）（図１(c)参照）ようになっており、気体又は液体の流入出量に応じて、膨張、収縮の制御が可能に構成されている。
【００４０】
透明化液保持部７は、バルーン５の表面に固定されていて、例えば、スポンジ状又は表面に微小な孔の開いた袋状の部材に内部に透明化液を保持して構成されており、押圧されることにより透明化液を外部へ徐放するようになっている。
体液吸着部８は、バルーン６の表面に固定されていて、例えば、透明化液の徐放対象から出た体液を吸収するガーゼや脱脂綿等の繊維部材又は透明化液の徐放対象を浸透圧により脱水する脱水シート等で構成されている。
【００４１】
また、棒状部材１は、ギア、回転軸及びモータ等で構成された図示しない回転手段を介して、バルーン５，６が設けられている先端近傍を、棒状部材１の軸を中心として回転可能に構成されている。
なお、図２中、２０は管腔内壁面、２０ａは管腔内壁面２０における患部（透明化液の徐放対象部位）である。
【００４２】
このように構成された第１実施形態の透明化液徐放手段を用いた、徐放対象部位（ここでは、管腔内壁面２０の患部２０ａ）への透明化液の徐放手順を、図２を用いて説明する。
上述したように、管腔内壁面２０の表面は体液で覆われている。また、管腔内壁面２０の内部も、透明化を所望する生体組織の上層に体液が多く存在する。透明化液に体液が多く混ざると透明化液が薄められて透明化の機能が弱まり、透明化を所望する生体組織への透明化液の浸透を阻害する。管腔内壁面２０に対する透明化液の徐放により透明化を所望する生体組織への透明化効果が得られるまでの時間を短縮するには、透明化を所望する生体組織に対し透明化液が浸透しやすくなるように、管腔内壁面２０の表面及び内部に存在する体液を極力減らす必要がある。
【００４３】
そこで、透明化液の徐放に先立ち、管腔内壁面２０の透明化を所望する患部２０ａ表面および内部の体液を減らすようにする。
バルーン５，６を拡張させていない状態の透明化液徐放手段を管腔内に挿入し、バルーン５，６を備えた先端部が管腔内壁面２０の患部２０ａの位置に位置するように移動させ、次いで、図示しない回転手段を介して棒状部材１を所定量回転させて、図２(a)に示すように、体液吸着部８を徐放対象部位である管腔内壁面２０の患部２０ａに対向させる。
次に、図示しない気体又は液体の供給・排出手段に接続された供給路３を介して、開口部３ａから気体（又は液体）をバルーン６の内部へ注入し、バルーン６を拡張させる。すると、図２(b)に示すように、バルーン６が変形しながら体液吸着部８を管腔内壁面２０の患部２０ａに圧接させる。これにより、管腔内壁面２０の患部２０ａの表面及び内部からの体液が体液吸着部８に吸着される。
【００４４】
管腔内壁面２０の患部２０ａの表面及び内部から十分に体液を吸着後、図示しない気体又は液体の供給・排出手段に接続された供給路３を介して、バルーン６内部の気体（又は液体）を開口部３ａから排出し、バルーン６を萎ませる。これにより、体液吸着部８が管腔内壁面２０の患部２０ａから離れる。
次に、図示しない回転手段を介して棒状部材１の先端部近傍を１８０度回転させて、図２(c)に示すように、透明化液保持部７を管腔内壁面２０の患部２０ａに対向させる。
次に、図示しない気体又は液体の供給・排出手段に接続された供給路２を介して、開口部２ａから気体（又は液体）をバルーン５の内部へ注入し、バルーン５を拡張させる。すると、図２(d)に示すように、バルーン５が変形しながら透明化液保持部７を管腔内壁面２０の患部２０ａに圧接させる。これにより、透明化液保持部７の透明化液が管腔内壁面２０の患部２０ａに徐放される。
【００４５】
管腔内壁面２０の患部２０ａへの透明化液の徐放により、次第に管腔内壁面２０の患部２０ａの内部に透明化液が浸透する一方、管腔内壁面２０の患部２０ａの内部に存在する体液が滲み出し、透明化液保持部７へ入り込む。上述したように、透明化液保持部７に相当量の体液が入り込んで透明化液と混ざると、透明化液としての機能が低下する。
そこで、透明化液を管腔内壁面２０の患部２０ａに徐放している途中の過程において、図示しない気体又は液体の供給・排出手段に接続された供給路２を介して、バルーン６内部の気体（又は液体）を開口部２ａから排出し、バルーン６を萎ませ、透明化液保持部７を管腔内壁面２０の患部２０ａから離し、図示しない回転手段を介して棒状部材１を１８０度回転させて、図２(a)に示すように、体液吸着部８を管腔内壁面２０の患部２０ａに対向させる。そして、体液吸着部８を介した管腔内壁面２０の患部２０ａから滲み出した体液の吸着と、透明化液保持部７を介した管腔内壁面２０の患部２０ａへの透明化液の徐放を繰り返す。管腔内壁面２０の患部２０ａの内部に存在する生体組織が所望の透明状態となったときに、透明化液の徐放が完了する。
【００４６】
透明化液の徐放完了後は、図示しない気体又は液体の供給・排出手段に接続された供給路２を介して、バルーン５内部の気体（又は液体）を、開口部２ａから排出し、バルーン５を萎ませ、生体組織が透明化した管腔内壁面２０の患部２０ａからバルーン５を離す。次いで、透明化液徐放手段を管腔内壁面２０の患部２０ａから離れた位置に移動させる。これにより、管腔内壁面２０の患部２０ａに存在する透明化した生体組織の診断・治療が可能となる。
【００４７】
管腔内壁面２０の患部２０ａに存在する透明化した生体組織の診断・治療が終了し、透明化した生体組織を元の不透明な状態に戻す場合は、一旦、棒状部材１を生体内から抜き出す。そして、例えば、スポンジ状又は表面に微小な孔の開いた袋状の部材に内部に生理食塩水を保持した不透明化液保持部が、バルーン５，６と同様に構成されたバルーンに固定された棒状部材１を管腔内に挿入し、上記図２(c)、図２(d)を用いて説明したのと略同様の手順で、バルーンを拡張させて、生理食塩水を保持した不透明化液保持部を透明化した生体組織が存在する管腔内壁面２０の患部２０ａに圧接させて、生理食塩水を徐放する。生理食塩水が生体組織の透明化液と交換されることにより、透明化した生体組織が不透明化状態に戻る。
【００４８】
第１実施形態の透明化液徐放手段によれば、内部に２つの気体又は液体の供給路２，３を有するとともに、先端近傍の側面における円周方向に沿う位置に夫々の供給路２，３の開口部２ａ，３ａを有する棒状部材１と、棒状部材１の先端近傍の側面における円周方向に沿う夫々の位置に、夫々の供給路２，３の開口部２ａ，３ａを夫々覆うように設けられ、気体又は液体の流入出量に応じて、膨張、収縮の制御が可能な少なくとも２つの袋状弾性部材５，６と、第１の袋状弾性部材５の表面に固定され、透明化液を保持し、且つ、押圧されることにより透明化液を外部へ徐放する透明化液保持部７と、第２の袋状弾性部材６の表面に固定され、透明化液の徐放対象から出た体液を吸収又は透明化液の徐放対象を浸透圧により脱水する体液吸着部８と、を有したので、体液吸着部８により管腔内壁面２０の表面に付着した体液を除去し、管腔内壁面２０の内部の表層に存在する体液の量を極力減らした状態で、透明化液保持部７により、管腔内壁面２０に透明化液を徐放することができる。その結果、透明化液に混ざり込む体液の量を極力減らすことができ、管腔内壁面２０の内部において透明化を所望する生体組織に透明化液が浸透するまでの時間を短縮することができる。
しかも、体液吸着部８と透明化液保持部７とを棒状部材１の先端近傍の側面における円周方向に沿う夫々の位置に設けたので、体液吸着部８と透明化液保持部７が設けられている棒状部材１の先端近傍を、棒状部材１の軸を中心として回転させることで、棒状部材１を生体内から挿脱することなく、体液吸着部８による体液の吸着と透明化液保持部７による透明化液の徐放とを切替えて行なうことができ、生体への負担及び作業負担を極力減らすことができるようになる。
さらに、透明化液保持部７、体液吸着部８は、夫々の袋状弾性部材５，６に固定されており、夫々の袋状部材部材５，６が拡張することにより、対象部位の管腔内壁面２０に圧接させられるので、重力に反する方向に存在する対象部位に対しても、透明化液を安定的に投与することができ、また、体液を安定した状態で除去できる。
【００４９】
従って、第１実施形態の透明化液徐放手段によれば、生体への負担及び作業負担を軽減しながら、透明化液による透明化の効果が得られるまでの時間を極力短縮することができ、しかも、重力に反する位置に存在する投与対象部位に対しても透明化液を安定的に投与することが可能となる。
【００５０】
また、第１実施形態の透明化液徐放手段によれば、棒状部材１における、２つの袋状弾性部材５，６が設けられている先端近傍を、棒状部材１の軸を中心として回転可能に構成したので、棒状部材１を生体内から挿脱することなく、体液吸着部８による体液の吸着と透明化液保持部７による透明化液の徐放とを切替えて行なうことができ、生体への負担及び作業負担を極力減らす効果が実現できる。
【００５１】
第２実施形態
図３は本発明の第２実施形態にかかる透明化液徐放手段の説明図で、(a)は透明化液保持部の表面形状を示す部分拡大断面図、(b)は第２実施形態の透明化液徐放手段において(a)に示した透明化液保持部の範囲を示す図、(c)は透明化液保持部を徐放対象部位に圧接させた状態を示す図、(d)は第２実施形態の透明化液徐放手段を用いて透明化液保持部を徐放対象部位に圧接させた状態における、(c)に示した範囲での徐放対象部位の圧接面形状及び透明化液保持部の圧接方向での位置を示す図、(e)は(d)の一比較例であり、滑らかな表面を持つ透明化液保持部を徐放対象部位に圧接させた状態における、(c)に示した位置での徐放対象部位の圧接面形状及び透明化液保持部の圧接方向での位置を示す図である。
【００５２】
本実施形態の透明化液徐放手段は、図１に示した第１実施形態の構成に加えて、図３(a)に示すように、透明化液保持部７の表面に無数の凹凸部７ａを有している。なお、図３(b)において丸印で囲んだ符号Ｐは図３(a)に拡大して示した透明化液保持部７の範囲を示している。
その他の構成は、図１に示した第１実施形態の透明化液徐放手段と略同じである。
【００５３】
ここで、図３(c)に示すように、管腔内壁面２０の患部２０ａに透明化液保持部７を圧接させたときの範囲Ｐでの管腔内壁面２０の患部２０ａの圧接面形状及び透明化液保持部７の圧接方向での位置に関し、表面に無数の凹凸部７ａを有する、本実施形態の透明化保持部７を用いた場合と、比較例として表面が滑らかな透明化保持部７を用いた場合とについて、図３(d)、図３(e)を用いて説明する。
【００５４】
比較例の表面が滑らかな透明化保持部７を管腔内壁面２０の患部２０ａに圧接した場合、図３(e)に示すように、患部２０ａと圧接する面積は互いの平坦な面が接する部分の面積に限定されたものとなり、透明化液を浸透させる患部の表面積も限定されたものとなる。また、透明化保持部７の表面が滑らかな面全体で患部２０ａを押圧しても、透明化保持部７の圧接方向の位置を管腔内壁面２０の患部２０ａの内側へ入り込ませることが難しい。
これに対し、第２実施形態の透明化液徐放手段のように、表面に無数の凹凸部７ａを有する透明化液保持部７を管腔内壁面２０の患部２０ａに圧接した場合、図３(d)に示すように、夫々の凹凸部７ａに設けられた凸部が管腔内壁面２０の患部２０ａの表面を押し込み、患部２０ａの表面を透明化液保持部７の凹凸部７ａに対応した凹凸形状に変形させるので、比較例に比べて透明化液を浸透させる管腔内壁面２０の患部２０ａの表面積が格段に増える。また、透明化保持部７の凹凸部７ａで管腔内壁面２０の患部２０ａの表面を凹凸形状に変形させた分、図３(d)に符号αで示したように、透明化保持部７を管腔内壁面２０の患部２０ａの内側へ入り込ませることができ、透明化液から管腔内壁面２０の患部２０ａの内部に存在する透明化を所望する生体組織までの距離が近づく。
このように、第２実施形態の透明化液徐放手段によれば、より多くの透明化液を徐放対象部位へ投与することができ、しかも透明化液が浸透する徐放対象部位の内部に存在する透明化を所望する生体組織までの距離を短縮することができるので、徐放対象部位の内部に存在する透明化を所望する生体組織を透明化させるために要する時間を格段と短縮化することができる。
その他の作用効果は、第１実施形態の透明化液徐放手段と略同じである。
【００５５】
第３実施形態
図４は本発明の第３実施形態にかかる透明化液徐放手段の概略構成を模式的に示す説明図である。
本実施形態の透明化液徐放手段は、図１に示した第１実施形態の構成に加えて、透明化液保持部７に保持される透明化液の浸透速度を高める浸透速度調整手段の一つとして、図４に示すように、温度調節器１０を備えている。なお、図４中、９は図１において図示を省略したポンプ等を用いた、気体又は液体の供給・排出手段である。なお、図４においても図示を省略したが、供給路３にも、気体又は液体の供給・排出手段９と同様の気体又は液体の供給・排出手段が接続されている。
温度調節器１０は、袋状弾性部材５に供給するための気体（又は液体）を所定温度に加温する。加温された熱が袋状弾性部材５を介して透明化液保持部７に伝わり、透明化保持部７の浸透速度が高まる。
なお、透明化液保持部７に保持される透明化液の浸透速度を高めるように調整する、その他の浸透速度調整手段として、透明化液保持部７が保持する透明化液に浸透速度促進剤を混合させておいてもよい。
その他の構成は、図１に示した第１実施形態の透明化液徐放手段と略同じである。
【００５６】
第３実施形態にかかる透明化液徐放手段によれば、温度調節器１０を介して、所定の温度に暖められた気体又は液体を、気体又は液体の供給・排出手段９に接続された供給路２を介して、開口部２ａからバルーン５の内部に注入すると、バルーン５が拡張するともに、バルーン５の内部の温められた気体又は液体の熱が透明化液保持部７に保持される透明化液を温める。これにより、透明化液の浸透速度が高くなる。
バルーン５を拡張させて、浸透速度が高められた透明化液を保持する透明化液保持部７を図２(d)に示したのと同様に、管腔内壁面２０の患部２０ａに圧接することで、透明化液保持部７から浸透速度が高められた透明化液が徐放される。
浸透速度が高められた透明化液は、管腔内壁面２０の患部２０ａの内部に存在する体液の脱水を促進する。このため、透明化液保持部７の表面を、透明化液を外部に排出する一方で体液を通さないように構成すれば、透明化液保持部７の表面から出た透明化液により、管腔内壁面２０の患部２０ａの内部から体液を脱水させ、その後、体液吸着部８を介して管腔内壁面２０の患部２０ａの内部から出た体液を吸着し、体液が少ない状態となった管腔内壁面２０の患部２０ａに対し、再度、透明化液保持部７を管腔内壁面２０の患部２０ａに圧接させることにより、透明化液保持部７から出た透明化液を管腔内壁面２０の患部２０ａの内部に存在する透明化を所望する生体組織へ浸透させ易くなる。その結果、管腔内壁面２０の患部２０ａの内部に存在する透明化を所望する生体組織を透明化させるために要する時間をより一層短縮することができる。
【００５７】
また、浸透速度調整手段を、袋状弾性部材５に供給する気体又は液体を加温する温度調節器１１で構成したので、管腔内壁面２０の患部２０ａの内部に存在する透明化を所望する生体組織を透明化させるために要する時間の短縮度合いを調整し易くなる。
さらに、浸透速度調整手段として、透明化液保持部７が保持する透明化液に浸透速度促進剤を混合させておけば、管腔内壁面２０の患部２０ａの内部に存在する透明化を所望する生体組織を透明化させるために要する時間をより一層短縮することができる。
その他の作用効果は、第１実施形態の透明化液徐放手段と略同じである。
【００５８】
第４実施形態
図５は本発明の第４実施形態にかかる透明化液徐放手段の概略構成を模式的に示す説明図で、(a)は袋状弾性部材を拡張させる前の状態の外観を示す側面図、(b)は(a)のＡ’−Ａ’線断面図、(c)は(a)の紙面と平行な方向の断面図である。図６は本発明の第４実施形態の透明化液徐放手段を用いた透明化液の徐放手順の一例を(a)の紙面と平行な方向の断面で示す説明図で、(a)はいずれの袋状弾性部材も拡張させていない状態の透明化液徐放手段を管腔内に挿入し、体液吸着部を徐放対象部位に位置合わせした状態を示す図、(b)は(a)の状態から第２の袋状弾性部材を拡張させて、体液吸着部を徐放対象部位に圧接させた状態を示す図、(c)は(b)の状態から第２の袋状弾性部材を萎ませるとともに、棒状部材の軸を中心に回転させて、透明化液保持部を徐放対象部位に位置合わせした状態を示す図、(d)は(c)の状態から第１の袋状弾性部材を拡張させて、透明化液保持部を徐放対象部位に圧接させた状態を示す図、(e)は(d)の状態から第１の袋状弾性部材を萎ませるとともに、棒状部材の軸を中心に回転させて、不透明化液保持部を徐放対象部位に位置合わせした状態を示す図、(f)は(e)の状態から第３の袋状弾性部材を拡張させて、不透明化液保持部を徐放対象部位に圧接させた状態を示す図である。
【００５９】
本実施形態の透明化液徐放手段は、図５(a)〜図５(c)に示すように、図１に示した部材に加えて、拡張可能な袋状弾性部材１２と、不透明化液保持部１３を有している。
棒状部材１は、内部に供給路２，３に加えて、気体又は液体の供給路１１を有している。
また、棒状部材１は、図５(b)に示すように、先端近傍の側面における円周方向に沿う位置に供給路２，３，１１の開口部２ａ，３ａ，１１ａを有している。
供給路１１は、供給路２，３と同様、図示しない、ポンプ等を用いた、気体又は液体の供給・排出手段と接続されている。
袋状弾性部材１２は、例えば、バルーンで構成されており、図５(b)、図５(c)に示すように、棒状部材１の先端近傍の側面における円周方向に沿う位置であり、且つ、バルーン５，６とは異なる位置に、供給路１１の開口部１１ａを夫々覆うように設けられている。
そして、バルーン１２は、図示しない気体又は液体の供給・排出手段と接続する夫々の供給路１１を経て開口部１１ａより、内部に気体又は液体を供給されることにより、拡張（膨張）し、内部から気体又は液体を排出されることにより、萎む（収縮する）ようになっており、気体又は液体の流入出量に応じて、膨張、収縮の制御が可能に構成されている。
【００６０】
不透明化液保持部１３は、内部に透明化された生体組織を不透明化状態に戻すための生理食塩水等の不透明化液を保持し、押圧されることにより不透明化液を外部へ徐放する、例えば、スポンジ状又は表面に微小な孔の開いた袋状の部材で構成されており、バルーン１２の表面に固定されている。
その他の構成は、図１に示した透明化液徐放手段と略同じである。
【００６１】
このように構成された第４実施形態の透明化液徐放手段では、徐放対象部位としての管腔内壁面２０の患部２０ａへの透明化液の徐放と、その後の透明化された生体組織を不透明化状態に戻すための管腔内壁面２０の患部２０ａへの不透明化液の徐放までを棒状部材１を生体内から抜き出すことなく行なうことができる。それの手順を、図６を用いて説明する。
管腔内壁面２０の患部２０ａへの透明化液の徐放までの手順は、図２に示した第１実施形態の透明化液徐放手段と略同じである。
詳しくは、バルーン５，６，１２を拡張させていない状態の透明化液徐放手段を管腔内に挿入し、バルーン５，６，１２を備えた先端部が管腔内壁面２０の患部２０ａの位置に位置するように移動させ、次いで、図示しない回転手段を介して棒状部材１を所定量回転させて、図６(a)に示すように、体液吸着部８を徐放対象部位である管腔内壁面２０の患部２０ａに対向させる。
次に、図示しない気体又は液体の供給・排出手段に接続された供給路３を介して、開口部３ａから気体（又は液体）をバルーン６の内部へ注入し、バルーン６を拡張させる。すると、図６(b)に示すように、バルーン６が変形しながら体液吸着部８を管腔内壁面２０の患部２０ａに圧接させる。これにより、患部２０ａの表面及び内部からの体液が体液吸着部８に吸着される。
【００６２】
管腔内壁面２０の患部２０ａの表面及び内部から十分に体液を吸着後、図示しない気体又は液体の供給・排出手段に接続された供給路３を介して、バルーン６内部の気体（又は液体）を開口部３ａから排出し、バルーン６を萎ませる。これにより、体液吸着部８が管腔内壁面２０の患部２０ａから離れる。
次に、図示しない回転手段を介して棒状部材１の先端部近傍を１８０度回転させて、図６(c)に示すように、透明化液保持部７を患部２０ａに対向させる。
次に、図示しない気体又は液体の供給・排出手段に接続された供給路２を介して、開口部２ａから気体（又は液体）をバルーン５の内部へ注入し、バルーン５を拡張させる。すると、図６(d)に示すように、バルーン５が変形しながら透明化液保持部７を患部２０ａに圧接させる。これにより、透明化液保持部７の透明化液が管腔内壁面２０の患部２０ａに徐放される。
なお、徐放の途中で、図示しない気体又は液体の供給・排出手段に接続された供給路２を介して、バルーン６内部の気体（又は液体）を開口部２ａから排出し、バルーン６を萎ませ、透明化液保持部７を管腔内壁面２０の患部２０ａから離し、図示しない回転手段を介して棒状部材１を１８０度回転させて、図６(a)に示すように、体液吸着部８を患部２０ａに対向させる。そして、体液吸着部８による管腔内壁面２０の患部２０ａから滲み出した体液の吸着と、透明化液保持部７による患部２０ａへの透明化液の徐放を繰り返す。管腔内壁面２０の患部２０ａの内部に存在する生体組織が所望の透明状態となったときに、透明化液の徐放が完了する。
【００６３】
透明化液の徐放完了後は、図示しない気体又は液体の供給・排出手段に接続された供給路２を介して、バルーン５内部の気体（又は液体）を、開口部２ａから排出し、バルーン５を萎ませ、生体組織が透明化した管腔内壁面２０の患部２０ａからバルーン５を離す。次いで、透明化液徐放手段を管腔内壁面２０の患部２０ａから離れた位置に一時的に退避させる。これにより、管腔内壁面２０の患部２０ａに存在する透明化した生体組織の診断・治療が可能となる。
【００６４】
管腔内壁面２０の患部２０ａに存在する透明化した生体組織の診断・治療が終了し、透明化した生体組織を元の不透明な状態に戻す場合は、バルーン５，６，１２を拡張させていない状態の透明化液徐放手段を管腔内に挿入し、バルーン５，６，１２を備えた先端部が管腔内壁面２０の患部２０ａの位置に位置するように移動させ、次いで、図示しない回転手段を介して棒状部材１を所定量回転させて、図６(e)に示すように、不透明化液保持部１３を徐放対象部位である透明化した生体組織が存在する管腔内壁面２０の患部２０ａに対向させる。
次に、図示しない気体又は液体の供給・排出手段に接続された供給路１１を介して、開口部１１ａから気体（又は液体）をバルーン１２の内部へ注入し、バルーン１２を拡張させる。すると、図６(f)に示すように、バルーン１２が変形しながら不透明化液保持部１３を管腔内壁面２０の透明化した患部２０ａに圧接させて、生理食塩水を徐放する。生理食塩水が生体組織の透明化液と交換されることにより、透明化した生体組織が不透明化状態に戻る。
【００６５】
第４実施形態の透明化液徐放手段によれば、棒状部材１が、内部に第３の気体又は液体の供給路１１を有するとともに、先端近傍の側面における円周方向に沿う位置に第３の供給路の開口部１１ａを有し、棒状部材１の先端近傍の側面における円周方向に沿う位置であり、且つ、バルーン５（第１の袋状弾性部材）及びバルーン６（第２の袋状弾性部材）とは異なる位置に、第３の供給路の開口部１１ａを覆うように設けられ、気体又は液体の流入出量に応じて、膨張、収縮の制御が可能なバルーン１２（第３の袋状弾性部材）の表面に固定され、透明化された生体組織を不透明化状態に戻すための液体を保持し、且つ、押圧されることにより、透明化された生体組織を不透明化状態に戻すための液体を外部へ徐放する不透明化液保持部１３を有するので、体液吸着部８により管腔内壁面２０の患部２０ａの表面及び内部の表層に存在する体液の量を極力減らした状態で、透明化液保持部８により透明化液を徐放することで、管腔内壁面２０ａの患部の内部に存在する透明化を所望する生体組織に透明化液が浸透するまでの時間を短縮することができることに加えて、透明化した生体組織を不透明化する作業においても、棒状部材１を生体内から挿脱することなく、重力に反する方向に存在する対象部位に対しても、安定的に不透明化液を投与することができ、生体への負担及び作業負担をより一層減らすことができる。
その他の作用効果は、第１実施形態の透明化液徐放手段と略同じである。
【００６６】
第５実施形態
図７は本発明の第５実施形態にかかる透明化液徐放手段の概略構成を模式的に示す説明図である。
本実施形態の透明化液徐放手段は、図１に示した第１実施形態の構成に加えて、棒状部材１に透明化液保持部７と接続部１４ａを介して接続する、透明化液の供給路１４を有している。
供給路１４は、図示しない、ポンプ等を用いた、透明化液の供給・排出手段と接続されている。
その他の構成は、図１に示した第１実施形態の透明化液徐放手段と略同じである。
【００６７】
患部２０ａへの透明化に必要な透明化液の量が、透明化液徐放手段１３で保持しうる透明化液の量を上回る場合、更なる透明化液の徐放が必要となる。
第１実施形態〜第４実施形態の透明化液徐放手段を用いて、更なる透明化液の徐放を行なう場合、一旦、棒状部材１を生体内から抜き出し、透明化液保持部１３に透明化液を補充した後に、棒状部材１を生体内に挿入する必要がある。
しかるに、第５実施形態の透明化液徐放手段によれば、棒状部材１が、さらに、透明化液保持部７と接続する、透明化液の供給路１４を有するので、対象部位への透明化液の徐放量を適量に制御することが可能となる。このため、対象部位に存在する生体組織の透明化に必要な透明化液の量が、透明化液徐放手段の透明化液保持部７で保持しうる透明化液の量を上回り、更なる、透明化液の徐放が必要となる場合であっても、透明化液の供給路１４を介して、必要に応じて適宜透明化液を透明化液保持部７に補充できるので、棒状部材１を生体内から抜き出すことなく、透明化を完了させることができる。
【００６８】
以上、本発明の透明化液徐放手段の実施形態を説明したが、本発明の透明化液徐放手段は、上記実施形態の構成に限定されるものではなく、それぞれの実施形態における特徴的な構成を任意に組み合わせてもよい。また、例えば、袋状弾性部材は、バルーンに限定されず、袋状に拡張する弾性を有するものであれば、どのようなものでもよい。また、上記実施形態で説明した透明化液徐放手段は、内視鏡先端部に一体化した構成や、内視鏡と共に用いる鉗子等の内視鏡手術用器具と一体化した構成であってもよい。
【産業上の利用可能性】
【００６９】
本発明の透明化液徐放手段並びにそれを備えた内視鏡及び内視鏡手術用器具は、重力に反した方向に存在する患部に、透明化液を留置状態に投与し、投与後すぐに患部を診断又は治療することが必要とされるあらゆる分野に有用である。
【符号の説明】
【００７０】
１          棒状部材
２，３，１１          供給路
２ａ，３ａ，１１ａ    開口部
５，６，１２          袋状弾性部材（バルーン）
７          透明化液保持部
８          液体吸着部材
９          気体又は液体の供給・排出手段
１０        温度調節器
１３        不透明化液保持部
１４        透明化液の供給路
２０        管腔内壁面
２０ａ      患部（透明化液の徐放対象部位）
５１        細長棒状基材
５２        気体通路
５３        バルーン
５４        薬剤保持部
【図１】
2014161385.tif 000003
【図２】
2014161385.tif 000004
【図３】
2014161385.tif 000005
【図４】
2014161385.tif 000006
【図５】
2014161385.tif 000007
【図６】
2014161385.tif 000008
【図７】
2014161385.tif 000009
【図８】
2014161385.tif 000010